(57)【要約】【課題】面倒な作業を要することなく、エスカレータの稼働中でも、移動手すりの内幅寸法が、規定の寸法範囲外に変化しても認識可能なエスカレータの移動手すりの異常検出装置を得る。【解決手段】移動手すり２０の一端に当てられる第１接触体４２Ａを有する第１可動体４１Ａと、移動手すり２０の他端に当てられる第２接触体４２Ｂを有する第２可動体４１Ｂと、第１接触体４２Ａ及び第２接触体４２Ｂが互いに離間する方向の付勢力を第１可動体４１Ａ及び第２可動体４１Ｂに付与するコイルばね４５と、一部を第１可動体４１Ａに連結され、他部を第２可動体４１Ｂの他方の第２接触体４２Ｂ側と規定隙間をあけて配置される検出アーム５０とを備え、検出アーム５０の他部は、移動手すり２０の内幅寸法が許容寸法より広がった場合に移動手すり２０の外周面に接触されて、接触した移動手すり２０の部位にマーキングを施すマーキング部材５４により構成されている。【選択図】図２
2013043713.tif 000002
【特許請求の範囲】
【請求項１】
乗り口と降り口との間に架設される主枠と、上記主枠の上部に立設される欄干と、上記欄干の外周縁部に沿って、上記乗り口と上記降り口との間を循環走行する断面Ｃ字状の移動手すりとを備えるエスカレータに設けられ、上記移動手すりの断面における一端及び他端間の幅である内幅寸法の異常を検出する乗客コンベアの移動手すりの異常検出装置であって、
上記移動手すりの断面における一端に当てられる第１接触体を有する第１可動体と、
上記移動手すりの断面における他端に当てられ、上記第１接触体と互いに相対するように配置される第２接触体を有する第２可動体と、
上記第１接触体及び上記第２接触体が互いに離間する方向の付勢力を上記第１可動体及び上記第２可動体に付与する付勢部材と、
一部を上記第１可動体及び上記第２可動体の一方に連結され、他部を、上記第１接触体及び上記第２接触体のうち上記第１可動体及び上記第２可動体の他方に対応する接触体側に位置する上記移動手すりの外周面に対して規定隙間をあけて配置される異常検出体とを備え、
上記第１可動体及び上記第２可動体は、互いに離間する方向に移動可能に設けられ、
上記異常検出体の他部は、上記移動手すりの内幅寸法が許容寸法より広がった場合に上記移動手すりの外周面に接触されて、接触した上記移動手すりの部位にマーキングを施すマーキング部材により構成されている
ことを特徴とする乗客コンベアの移動手すりの異常検出装置。
【請求項２】
上記移動手すりとの接触部を含む上記第１接触体及び上記第２接触体の表面は、上記移動手すりとの接触部に対して凹となる壁面形状に形成されていることを特徴とする請求項１に記載の乗客コンベアの移動手すりの異常検出装置。
【発明の詳細な説明】
【技術分野】
【０００１】
この発明は、移動手すりの走行方向に垂直な断面において、Ｃ字状の移動手すりの両端間の寸法の異常を検出する乗客コンベアの移動手すりの異常検出装置に関する。
【背景技術】
【０００２】
従来のエスカレータは、多数の踏段を回転せしめる駆動機器を有するエスカレータ本体の左右上部に長手方向に亘り欄干が立設され、欄干に設けられた移動手すりが踏段と同期して回転駆動されている（例えば、特許文献１参照）。
【先行技術文献】
【特許文献】
【０００３】
【特許文献１】特開平４−２０４９７号公報
【発明の概要】
【発明が解決しようとする課題】
【０００４】
特許文献１には詳細には記載されていないが、移動手すりは、断面Ｃ字状に形成されるのが一般的である。欄干の長手方向の一方の側部から上部を介して他方の側部に至る部位は、移動手すりを案内するための案内レールとして構成されている。
そして、移動手すりは、断面Ｃ字状の内側により表される空間に案内レールを嵌合させて、欄干の周囲を巡るように設けられて、踏段の駆動に連動して循環移動される。
【０００５】
ここで、移動手すりの走行方向に直交する断面における両端間の寸法（以下、内幅寸法とする）は、予め仕様に定められる許容の寸法範囲に予め設定されているが、経年変化により、許容の寸法範囲外になることがある。
【０００６】
そして、従来のエスカレータの保守者は、移動手すりの内幅寸法が、許容される寸法範囲外に変化していたことを認識するのに、例えば、メンテナンスを実施する際に、移動手すりの内幅寸法を、ノギス等を用いて測定するなどの面倒な作業を行う必要があった。
また、従来のエスカレータが通常に稼働しているときには、移動手すりの内幅寸法が、規定の寸法範囲外に変化しても認識できず、メンテナンス時でなければ、移動手すりの内幅寸法が、規定の寸法範囲外に変化したことを認識できない。
【０００７】
この発明は上記の課題を解決するためになされたものであり、面倒な作業を要することなく、エスカレータの稼働中でも、移動手すりの内幅寸法が、規定の寸法範囲外に変化しても認識可能な乗客コンベアの移動手すりの異常検出装置を得ることを目的とする。
【課題を解決するための手段】
【０００８】
この発明の乗客コンベアの移動手すりの異常検出装置は、乗り口と降り口との間に架設される主枠と、主枠の上部に立設される欄干と、欄干の外周縁部に沿って、乗り口と降り口との間を循環走行する断面Ｃ字状の移動手すりとを備えるエスカレータに設けられ、移動手すりの断面における一端及び他端間の幅である内幅寸法の異常を検出する乗客コンベアの移動手すりの異常検出装置であって、移動手すりの断面における一端に当てられる第１接触体を有する第１可動体と、移動手すりの断面における他端に当てられ、第１接触体と互いに相対するように配置される第２接触体を有する第２可動体と、第１接触体及び上記第２接触体が互いに離間する方向の付勢力を第１可動体及び第２可動体に付与する付勢部材と、一部を第１可動体及び第２可動体の一方に連結され、他部を、上記第１接触体４２Ａ及び上記第２接触体４２Ａのうち、第１可動体及び第２可動体の他方に対応する接触体側に位置する移動手すりの外周面に対して規定隙間をあけて配置される異常検出体とを備え、第１可動体及び第２可動体は、互いに相対する方向に移動可能に設けられ、異常検出体の他部は、移動手すりの内幅寸法が許容寸法より広がった場合に移動手すりの外周面に接触されて、接触した移動手すりの部位にマーキングを施すマーキング部材により構成されている。
【発明の効果】
【０００９】
この発明に係る乗客コンベアの移動手すりの異常検出装置によれば、移動手すりの内幅寸法が、許容される寸法の範囲外に変化すると、自動的にマーキング部材により、該当する移動手すりの部位にマーキングされる。保守者は、ノギス等を用いて内幅寸法を測定するなどの面倒な作業を行う必要なく、移動手すりの内幅寸法が、許容される寸法の範囲外に変化したことを認識できる。また、移動手すりの外周面にマーキングが施されるので、保守者は、エスカレータの稼働中でも、移動手すりの内幅寸法が、許容される寸法範囲外に変化したことを認識可能である。
【図面の簡単な説明】
【００１０】
【図１】この発明の一実施の形態に係るエスカレータの移動手すりの異常検出装置が設けられるエスカレータの模式図である。
【図２】図１のＩＩ−ＩＩ矢視断面図である。
【図３】図２のＩＩＩ−ＩＩＩ矢視断面図である。
【図４】この発明の一実施の形態に係るエスカレータの移動手すりの異常検出装置の動作を説明する断面図であり、移動手すりの内幅寸法が増大してマーキング部材に移動手すりが接触した様子を示している。
【発明を実施するための形態】
【００１１】
以下、この発明を実施するための最良の形態について、図面を参照して説明する。
【００１２】
図１はこの発明の一実施の形態に係るエスカレータの移動手すりの異常検出装置が設けられるエスカレータの模式図、図２は図１のＩＩ−ＩＩ矢視断面図、図３は図２のＩＩＩ−ＩＩＩ矢視断面図、図４はこの発明の一実施の形態に係るエスカレータの移動手すりの異常検出装置の動作を説明する断面図であり、移動手すりの内幅寸法が増大してマーキング部材に移動手すりが接触した様子を示している。
【００１３】
乗客コンベアの移動手すりの異常検出装置としてのエスカレータの移動手すりの異常検出装置の説明に先立って、エスカレータの構成について説明する。
図１において、乗客コンベアとしてのエスカレータ１は、上下階床間に架設された主枠２と、主枠２の上下階側のそれぞれに設置された上部機械室３及び下部機械室４のそれぞれと、上部機械室３に配設された駆動手段としての電動機５と、上部機械室３に配設された駆動スプロケット６と、電動機５と駆動スプロケット６とを連結し、電動機５の駆動に連動させて駆動スプロケット６を回転せしめる駆動鎖８と、駆動スプロケット６と同軸に配設された上部スプロケット１０と、下部機械室４に配設された下部スプロケット１１とを備えている。
【００１４】
また、エスカレータ１は、上部スプロケット１０及び下部スプロケット１１に無端状に巻き掛けられた踏段鎖１２と、踏段鎖１２に連結されて無端状に連なり、上階側に設けられる乗り口１５ａと下階側に設けられる降り口１５ｂとの間を電動機５の駆動に連動して循環移動する複数の踏段１６と、踏段１６を挟むように主枠２の上部に互いに対向して立設された一対の欄干１８と、一対の欄干１８のそれぞれに支持されて、欄干１８の周部を巡るように踏段１６と同期して循環移動する一対の移動手すり２０とを備えている。
【００１５】
また、エスカレータ１は、上部スプロケット１０に同軸に固定された第１動力伝達用スプロケット２１と、第１動力伝達用スプロケット２１より下階側よりに設けられた第２動力伝達用スプロケット２２と、第１及び第２動力伝達用スプロケット２１，２２に無端状に巻き掛けられ、第１動力伝達用スプロケット２１の回転力を第２動力伝達用スプロケット２２に伝達する動力伝達用鎖２３とを備えている。
また、エスカレータ１は、電動機５の駆動に伴って回転される第２動力伝達用スプロケット２２の回転に連動して移動手すり２０を駆動する手すり駆動装置３０と、上部機械室３に配設され、エスカレータ１のシステム全般を制御するエスカレータ制御盤２５とを備えている。
【００１６】
移動手すり２０の形状は、図２に示されるように、移動手すり２０の走行方向に垂直な断面においてＣ字状であり、両端に丸みを帯びた耳部２０ａを有している。
詳細には図示しないが、欄干１８の長手方向の一方の側部から上部を介して他方の側部に至る部位は、移動手すり２０を案内するための案内レールとして構成されている。さらに、欄干１８の下部の内側にも、移動手すり２０を案内するための案内レールが設けられている。
なお、欄干１８の下部に配置される案内レールは、手すり駆動装置３０の配置箇所の他、乗り口１５ａから降り口１５ｂに至るまでに、ところどころで配設を省略されている。
【００１７】
移動手すり２０は、断面Ｃ字の内側に案内レールを嵌合させて、欄干１８の周囲を巡ることが可能になっている。そして、移動手すり２０は、案内レールに案内されて乗り口１５ａと降り口１５ｂ間を踏段１６の循環移動と同期して循環移動する。
【００１８】
エスカレータ制御盤２５は、各種演算を行うＣＰＵ（図示せず）、各種データを一時的に記憶する記憶領域を有し、ＣＰＵの演算処理時にワーキングスペースに使用されるＲＡＭ（図示せず）、及びＣＰＵに演算させる各種プログラムが格納されたＲＯＭ（図示せず）等により構成される。
エスカレータ制御盤２５は、電動機５の駆動を制御することで、踏段１６及び移動手すり２０の移動を制御する。
【００１９】
次いで、エスカレータの移動手すりの異常検出装置４０について説明する。
エスカレータの移動手すりの異常検出装置４０は、移動手すり２０の走行方向に直交する断面において、Ｃ字形状を有する移動手すり２０の一端及び他端間の幅である内幅寸法の異常を検出するためのものである。
以下、移動手すり２０の一端及び他端は、移動手すり２０の走行方向に直交する断面における形状の一端及び他端であるものとする。
【００２０】
エスカレータの移動手すりの異常検出装置４０は、欄干１８の下部内部に位置する移動手すり２０の循環経路のうち、案内レールの配設を省略されて、案内レールにガイドされずに走行する所定部位に対応する位置に設けられる。
【００２１】
エスカレータの移動手すりの異常検出装置４０は、移動手すり２０の一端に当てられる第１接触体４２Ａを有する第１可動体４１Ａと、移動手すり２０の他端に当てられて第１接触体４２Ａと相対する第２接触体４２Ｂを有する第２可動体４１Ｂと、第１接触体４２Ａ及び第２接触体４２Ｂが互いに離間する方向の付勢力を第１可動体４１Ａ及び第２可動体４１Ｂに付与する付勢部材としてのコイルばね４５と、移動手すり２０の一端と他端の離間方向に、第１可動体４１Ａ及び第２可動体４１Ｂの移動をガイドするガイド部材４７とを備えている。
【００２２】
また、エスカレータの移動手すりの異常検出装置４０は、一部を第１可動体４１Ａに取り付けられて、第２接触体４２Ｂ側に位置する移動手すり２０の耳部２０ａの外側の表面（外周面）に対して、移動手すり２０の内幅寸法が許容間隔より広がった場合に接触されるように隙間をあけて配置されるマーキング部材５４（他部）を有する異常検出体としての検出アーム５０を備えている。
【００２３】
第１可動体４１Ａは、第１接触体４２Ａ、及び第１接触体４２Ａに連結棒４３Ａを介して連結される第１摺動体４４Ａを備えている。
第１接触体４２Ａは、おおよそ直方体に形成されている。
第１接触体４２Ａの一面が、移動手すり２０の断面Ｃ字の一端に当てられる当接面４２ａをなし、当接面４２ａに直交する面のうちの一つの面に連結棒の一端が突設される。
当接面４２ａは、中央に向かって凹んだ湾曲面として形成されている。
また、第１摺動体４４Ａは、所定の厚みを有する扁平な直方体に形成され、厚み方向の一面に連結棒４３Ａの他端が連結されている。
【００２４】
第２可動体４１Ｂは、第２接触体４２Ｂ、及び第２接触体４２Ｂに連結棒４３Ｂを介して連結される第２摺動体４４Ｂを備えている。
第２接触体４２Ｂは、おおよそ直方体に形成されている。
第２接触体４２Ｂの一面が、移動手すり２０の断面Ｃ字の他端に当てられる当接面４２ｂをなし、当接面４２ｂに直交する面のうちの一つの面に連結棒４３Ｂの一端が突設される。
当接面４２ｂは、中央に向かって凹んだ湾曲面として形成されている。
また、第２摺動体４４Ｂは、所定の厚みを有する扁平な直方体に形成され、厚み方向の一面に連結棒の他端が連結されている。
【００２５】
ガイド部材４７は、図３に示されるように、底壁４８及び底壁から延出して相対する一対の側片４９を有する断面コ字状に形成され、一対の側片４９の間の距離が、第１摺動体４４Ａ及び第２摺動体４４Ｂの短辺の長さより僅かに長く設定されている。
また、底壁４８には、長手方向に延在する長穴４８ａが形成されている。
【００２６】
検出アーム５０は、一端を第１接触体４２Ａに取り付けられるアーム本体５１、及びアーム本体５１の他端に取り付けられるマーキング部材５４を有する。
アーム本体５１は、第１接触体４２Ａに取り付けられる一端部を有する第１アーム５２、及び第１アーム５２の他端から第１アーム５２に鋭角に延在する第２アーム５３を有する。
マーキング部材５４は、インク等の塗料を含浸可能な部材であり、マーキング部材５４には、予めインクを含浸させてある。
【００２７】
以下、エスカレータの移動手すりの異常検出装置４０のエスカレータへの取付構造について説明する。
ガイド部材４７は、一端を主枠２等に固定され、他端が、欄干１８下部を走行する移動手すり２０の所定部位の上方に至るように、長手方向を移動手すり２０の一端及び他端の離間方向に一致させて配置されている。
【００２８】
そして、第１摺動体及び第２摺動体が、長手方向をガイド部材４７の長手方向に一致させ、厚み方向をガイド部材４７の底壁４８に直交させて底壁４８に互いに離間して載置されている。
連結棒４３Ａ，４３Ｂのそれぞれの他端が、底壁４８に形成された長穴４８ａに挿通されて、第１摺動体４４Ａ及び第２摺動体４４Ｂのそれぞれに連結されている。
また、連結棒４３Ａ，４３Ｂのそれぞれの一端は、第１接触体４２Ａ及び第２接触体４２Ｂのそれぞれに連結されている。
このとき、第１接触体４２Ａ及び第２接触体４２Ｂは、それぞれの当接面４２ａ，４２ｂを移動手すり２０の一端及び他端のそれぞれに向けて配置される。
【００２９】
以上のように第１可動体４１Ａ及び第２可動体４１Ｂは、ガイド部材４７に第１及び第２摺動体４４Ａ，４４Ｂを摺動自在に支持され、ガイド部材４７の長手方向に一致する長穴の延在する方向、言い換えれば、移動手すり２０の断面Ｃ字の一端及び他端が離間する方向に移動可能に設けられている。
【００３０】
コイルばね４５は、相対する第１摺動体４４Ａ及び第２摺動体４４Ｂの壁面間に縮設され、第１摺動体４４Ａ及び第２摺動体４４Ｂを互いに離間する方向に付勢している。これにより、第１接触体４２Ａ及び第２接触体４２Ｂのそれぞれの当接面４２ａ，４２ｂが、移動手すり２０の一端及び他端に当てられる。
このとき、移動手すり２０との接触部を含む第１接触体及び上記第２接触体の表面、言い代えれば、当接面４２ａ，４２ｂは、移動手すり２０との接触部からみて凹となる壁面形状に形成されている。
なお、コイルばね４５の付勢力は、移動手すり２０を変形させない程度の付勢力で、第１接触体４２Ａ及び第２接触体４２Ｂを移動手すり２０に押し当てている。
【００３１】
検出アーム５０は、アーム本体５１の一端を第１接触体４２Ａに取り付けられて、その他端が、第２接触体４２Ｂ側に位置する移動手すり２０の耳部２０ａの外周面に対して規定隙間Ｄをあけて配置されている。即ち、検出アーム５０の他端を構成するマーキング部材５４が、移動手すり２０の外周面の所定部位に対して規定隙間Ｄをあけて配置されている。
【００３２】
次いで、エスカレータの移動手すりの異常検出装置４０の動作について説明する。
初期状態では、移動手すり２０の内幅寸法は、規定の範囲に収まるように設定されている。
また、図に示されるマーキング部材５４と移動手すり２０の間の規定隙間Ｄは、例えば、以下のように設定される。
仕様などで規定される移動手すり２０の内幅寸法の範囲の最大値を許容寸法とする。
規定隙間Ｄは、移動手すり２０の内幅寸法が増大して、許容寸法より広くなったときに、マーキング部材５４が移動手すり２０に接触するように設定されている。
なお、通常、製造直後においては、移動手すり２０の内幅寸法は、規格値の範囲の中央に来るように製造され、使用前の移動手すり２０を欄干１８に装着した直後では、マーキング部材５４と移動手すり２０の外周面との間に規定隙間Ｄが形成される。
【００３３】
エスカレータ１の運転中であれば、移動手すり２０は、第１接触体４２Ａ及び第２接触体４２Ｂに接触しながら循環移動される。
そして、内幅寸法が所定間隔だけ広がると、マーキング部材５４に、移動手すり２０の耳部２０ａの外周面が接触する。
【００３４】
これにより、マーキング部材５４の塗料が接触された付着し、マーキング部材５４が接触された移動手すり２０の部位にマーキングが施される。
エスカレータ１の運転中であれば、移動手すり２０が循環移動されるので、内幅寸法が許容寸法より大きくなった移動手すり２０の部位の全域にマーキングが施されることになる。
エスカレータ１の保守者は、エスカレータ１の通常に運転しているときに、移動手すり２０が１周するまで、欄干１８の外側を走行する移動手すり２０の部位を目視することで、移動手すり２０の全域に亘って、移動手すり２０に内幅寸法の異常が無いか否かを確認できる。
【００３５】
この実施の形態のエスカレータの移動手すりの異常検出装置４０は、移動手すり２０の断面Ｃ字の一端に当てられる第１接触体４２Ａを有する第１可動体４１Ａと、移動手すり２０の断面Ｃ字の他端に当てられて第１接触体４２Ａと相対する第２接触体４２Ｂを有する第２可動体４１Ｂと、第１接触体４２Ａ及び第２接触体４２Ｂが互いに離間する方向の付勢力を第１可動体４１Ａ及び第２可動体４１Ｂに付与するコイルばね５０と、一部を第１可動体４１Ａに取り付けられ、他部を第２接触体４２Ｂ側に位置する移動手すり２０の外周面に対して規定隙間をあけて配置される検出アーム５０とを備えている。
そして、第１可動体４１Ａ及び上記第２可動体４１Ｂは、移動手すり２０の断面における一端及び他端が離間する方向に移動可能に設けられ、検出アーム５０の他部は、移動手すり２０の内幅寸法が許容寸法より広がった場合に移動手すり２０の外周面に接触されて、接触した移動手すり２０の部位にマーキングを施すマーキング部材５４により構成されている。
【００３６】
この発明のエスカレータの移動手すりの異常検出装置４０によれば、移動手すり２０の内幅寸法が、許容される寸法の範囲外に変化すると、自動的にマーキング部材５４により該当する移動手すりの部位にマーキングされる。保守者は、ノギス等を用いて内幅寸法を測定するなどの面倒な作業を行う必要なく、移動手すり２０の内幅寸法が、許容される寸法の範囲外に変化したことを認識できる。また、移動手すり２０の外周面にマーキングが施されるので、保守者は、エスカレータ１の稼働中でも、移動手すりの内幅寸法が、許容される寸法範囲外に変化したことを認識可能である。
【００３７】
また、移動手すり２０との接触部を含む第１接触体４２Ａ及び第２接触体４２Ｂの表面は、移動手すり２０との接触部に対して凹となる壁面形状に形成されているので、移動手すり２０の先端が第１接触体４２Ａ及び第２接触体４２Ｂから外れることが確実に防止される。
【００３８】
なお、エスカレータ１は、乗り口１５ａを上階側に、降り口１５ｂを下階側に設けるものとして説明したが、乗り口１５ａを下階側に、降り口１５ｂを上階側に設けるものでもよい。
また、検出アーム５０は、アーム本体５１の一端（一部）を第１可動体４１Ａに取り付け、マーキング部材５４を第２可動体４１Ｂの第２接触体４２Ｂ側に位置する移動手すり２０の外周面に対して規定隙間を空けて配置して設けるものとして説明したが、アーム本体５１の一端（一部）を第１可動体４１Ａの第１接触体４２Ａに取り付けられ、マーキング部材５４を第１可動体４１Ａの第１接触体４２Ａ側に位置する移動手すり２０の外周面に対して規定隙間をあけて配置して設けるものでもよい。
【００３９】
また、異常検出体は、検出アーム５０であるものとして説明したが、このものによらず、ブロック状のものであったりしてもよい。異常検出体は、一部を第１可動体４１Ａ及び第２可動体４１Ｂの一方に連結され、他部を、第１接触体４２Ａ及び第２接触体４２Ｂのうち、第１可動体４１Ａ及び第２可動体４１Ｂの他方に対応する接触体側に位置する移動手すり２０の外周面に対して規定隙間をあけて配置されるものであればよい。
【００４０】
また、乗客コンベアの移動手すりの異常検出装置は、エスカレータに設けられるエスカレータの移動手すりの異常検出装置４０であるものとして説明したが、動く歩道の移動手すりの異常検出用に設けられるものでもよい。
【符号の説明】
【００４１】
２  主枠、１５ａ  乗り口、１５ｂ  降り口、１８  欄干、２０  移動手すり、４０  エスカレータの移動手すりの異常検出装置（乗客コンベアの移動手すりの異常検出装置）、４２Ａ  第１接触体、４２Ｂ  第２接触体、４５  コイルばね、５０  検出アーム（異常検出体）、５４  マーキング部材。
【図１】
2013043713.tif 000003
【図２】
2013043713.tif 000004
【図３】
2013043713.tif 000005
【図４】
2013043713.tif 000006